(57)【特許請求の範囲】
【請求項１】
一又は二以上の加入者電話を収容するリモート側交換機と、ホスト側交換機との間のＶ５.２インタフェースの伝送路に設けられて、伝送されるディジタル信号に対してエコーキャンセル動作を行うエコーキャンセラの自動切換方法であって、
前記リモート側交換機から前記ホスト側交換機へ伝送される上り方向のディジタル信号と、前記ホスト側交換機から前記リモート側交換機へ伝送される下り方向のディジタル信号のそれぞれについて、前記Ｖ５.２インタフェースで定められた、制御データ伝送用タイムスロットを受信したかどうか検出する第１のステップと、
前記第１のステップにより、前記制御データ伝送用タイムスロットを検出したときには、該制御データ伝送用タイムスロットに対するエコーキャンセル動作を停止する第２のステップと
を含むことを特徴とするエコーキャンセラ自動切換方法。
【請求項２】
前記第１のステップは、上り方向と下り方向の両ディジタル信号中のそれぞれについて、前記制御データ伝送用タイムスロットと同じ順番のタイムスロットを抽出するステップと、抽出したタイムスロット中から前記制御データ伝送用タイムスロットに割り当てられた固有のフラグパターンが存在するか否か検出し、存在するとき前記制御データ伝送用タイムスロットであると検出するステップとからなることを特徴とする請求項１記載のエコーキャンセラ自動切換方法。
【請求項３】
前記第２のステップは、前記第１のステップにより上り方向と下り方向の両ディジタル信号中の前記制御データ伝送用タイムスロットを同時に、かつ、予め設定した所定回数検出されたときに、該制御データ伝送用タイムスロットに対するエコーキャンセル動作を停止することを特徴とする請求項１記載のエコーキャンセラ自動切換方法。
【請求項４】
前記第２のステップは、前記第１のステップにより上り方向と下り方向の両ディジタル信号中の前記制御データ伝送用タイムスロットが同時に１回検出された後、前記所定回数検出されないときには、上り方向と下り方向の両ディジタル信号中の前記制御データ伝送用タイムスロットが同時に前記所定回数連続して検出されるまでは、前記制御データ伝送用タイムスロットに対するエコーキャンセル動作の停止を行わないことを特徴とする請求項３記載のエコーキャンセラ自動切換方法。
【請求項５】
一又は二以上の加入者電話を収容するリモート側交換機と、ホスト側交換機と、それらの間のＶ５.２インタフェースの伝送路に設けられて、伝送されるディジタル信号に対してエコーキャンセル動作を行うエコーキャンセル機能を備えたエコーキャンセラとからなる交換機システムにおいて、
前記エコーキャンセラは、
前記リモート側交換機から前記ホスト側交換機へ伝送される上り方向のディジタル信号と、前記ホスト側交換機から前記リモート側交換機へ伝送される下り方向のディジタル信号のそれぞれについて、前記Ｖ５.２インタフェースで定められた、制御データ伝送用タイムスロットを受信したかどうか検出する検出機能と、
前記検出機能により、前記制御データ伝送用タイムスロットを検出したときには、前記エコーキャンセル機能による該制御データ伝送用タイムスロットに対するエコーキャンセル動作を停止する制御機能と
を有することを特徴とする交換機システム。
【請求項６】
前記検出機能は、上り方向と下り方向の両ディジタル信号中のそれぞれについて、前記制御データ伝送用タイムスロットと同じ順番のタイムスロットを抽出するタイムスロットドロップ機能と、該タイムスロットドロップ機能により抽出したタイムスロット中から前記制御データ伝送用タイムスロットに割り当てられた固有のフラグパターンが存在するか否か検出するフラグパターン検出機能とからなることを特徴とする請求項５記載の交換機システム。
【請求項７】
前記制御機能は、前記検出機能により上り方向と下り方向の両ディジタル信号中の前記制御データ伝送用タイムスロットを同時に、かつ、予め設定した所定回数検出されたときに、該制御データ伝送用タイムスロットに対するエコーキャンセル動作を停止することを特徴とする請求項５記載の交換機システム。
【発明の詳細な説明】
【０００１】
【発明の属する技術分野】
本発明はエコーキャンセラ自動切換方法及び交換機システムに係り、特にＶ５．２インタフェースで接続されるホスト側交換機とリモート側交換機の間の伝送路に設けられるエコーキャンセラの自動切換方法、及びそのエコーキャンセラを備えた交換機システムに関する。
【０００２】
【従来の技術】
従来より、一又は二以上の加入者電話を収容するリモート側交換機（ＡＮ：Access Network）が、ホスト側交換機（ＬＥ：Local Exchange）にＶ５インタフェースで接続された交換機システムが知られている。ここで、Ｖ５インタフェースは、欧州電気通信標準化協会（European Telecommunications Standard Institute）が発行する規格書ETS 300 324-1及びETS 300 347-1に規定されたインタフェース仕様であり、また、国際電気通信連合電気通信標準化部門（ＩＴＵ−Ｔ）勧告Ｇ９６４とＧ９６５に規定されたインタフェース仕様であり、Ｖ５．１とＶ５．２とからなる。
【０００３】
このうち、Ｖ５．２インタフェースの交換機システムでは、図４に示すように、ＡＮ１とＬＥ２の間の伝送路にエコーキャンセラ３を設け、ＬＥ２の２線／４線変換で音声データなどのディジタルデータのエコーがＬＥ２からＡＮ１方向に折り返ってくるのを除去するようにしている。
【０００４】
ここで、ＡＮ１には、そのＡＮ１が収容する加入者電話（加入者端末）の回線の種類（アナログ回線又はディジタル回線）その他の情報が蓄積されている。また、ＬＥ２には、そのＬＥ２が接続されるすべてのＡＮが有する加入者端末情報が蓄積されている。これらＡＮ１とＬＥ２との間では、各々６４ｋｂｐｓであるタイムスロット３２個を基本単位とするＶ５．２インタフェースで、音声データなどのディジタルデータを伝送する。また、制御データは特定のタイムスロット（コミュニケーションチャネル：Ｃｃｈ）で伝送される。
【０００５】
上記のＡＮ１とＬＥ２がＶ５.２インタフェースで接続された交換機システムでは、音声データなどのディジタルデータだけでなく、上記のＣｃｈで伝送される制御データが上記の３２個のタイムスロット中の所定のタイムスロットに含まれているため、Ｃｃｈ用タイムスロットに対してもエコーキャンセラ３を動作させると、制御データが正確に伝送できなくなる。
【０００６】
そこで、従来は、外部から制御の機能が無いエコーキャンセラ３に対して、ハードウェア等の初期設定時に、上記のＣｃｈ用タイムスロットに対してはエコーキャンセル動作をしないように、エコーキャンセル機能の無効を予め設定するようにしている。
【０００７】
【発明が解決しようとする課題】
しかしながら、上記の従来の交換機システムでは、エコーキャンセラ３は外部から制御の機能が無いので、ハードウェア等の初期設定時に行った上記のエコーキャンセル機能の無効設定に誤りが発生した場合には、Ｖ５．２インタフェースのリンクが確立できないという問題がある。
【０００８】
本発明は以上の点に鑑みなされたもので、ハードウェア等の初期設定時にエコーキャンセル機能の無効設定を行わなくても、Ｃｃｈ用タイムスロットに対してはエコーキャンセル機能を外部から停止し得るエコーキャンセラ自動切換方法及び交換機システムを提供することを目的とする。
【０００９】
【課題を解決するための手段】
上記の目的を達成するため、本発明のエコーキャンセラ自動切換方法は、一又は二以上の加入者電話を収容するリモート側交換機と、ホスト側交換機との間のＶ５.２インタフェースの伝送路に設けられて、伝送されるディジタル信号に対してエコーキャンセル動作を行うエコーキャンセラの自動切換方法であって、リモート側交換機からホスト側交換機へ伝送される上り方向のディジタル信号と、ホスト側交換機からリモート側交換機へ伝送される下り方向のディジタル信号のそれぞれについて、Ｖ５.２インタフェースで定められた、制御データ伝送用タイムスロットを受信したかどうか検出する第１のステップと、第１のステップにより、制御データ伝送用タイムスロットを検出したときには、制御データ伝送用タイムスロットに対するエコーキャンセル動作を停止する第２のステップとを含むことを特徴とする。
【００１０】
また、上記の目的を達成するため、本発明の交換機システムは、一又は二以上の加入者電話を収容するリモート側交換機と、ホスト側交換機と、それらの間のＶ５.２インタフェースの伝送路に設けられて、伝送されるディジタル信号に対してエコーキャンセル動作を行うエコーキャンセル機能を備えたエコーキャンセラとからなる交換機システムにおいて、エコーキャンセラは、リモート側交換機からホスト側交換機へ伝送される上り方向のディジタル信号と、ホスト側交換機からリモート側交換機へ伝送される下り方向のディジタル信号のそれぞれについて、Ｖ５.２インタフェースで定められた、制御データ伝送用タイムスロットを受信したかどうか検出する検出機能と、検出機能により、制御データ伝送用タイムスロットを検出したときには、エコーキャンセル機能による制御データ伝送用タイムスロットに対するエコーキャンセル動作を停止する制御機能とを有する構成としたものである。
【００１１】
上記の本発明方法及びシステムでは、Ｖ５.２インタフェース上の制御データ伝送用タイムスロットをエコーキャンセラにおいて監視し、上り下りの伝送路上の制御データ伝送用タイムスロットであると検出したときには、そのタイムスロットに対するエコーキャンセル動作を自動的に停止する。
【００１２】
ここで、本発明では、上り方向と下り方向の両ディジタル信号中のそれぞれについて、制御データ伝送用タイムスロットと同じ順番のタイムスロットを抽出し、抽出したそのタイムスロット中から制御データ伝送用タイムスロットに割り当てられた固有のフラグパターンが存在するか否か検出し、存在するとき制御データ伝送用タイムスロットであると検出する。
【００１３】
【発明の実施の形態】
次に、本発明の実施の形態について図面と共に説明する。図１は本発明になる交換機システムの一実施の形態のブロック図を示す。本実施の形態は、前述したETS 300 347-1（Ｖ５．２）に規定されるデータリンクレイヤ（ＬＡＰＶ５）プロトコルを用いた交換機システムを示している。
【００１４】
図１に示すように、一又は二以上の加入者電話を収容するリモート側交換機（ＡＮ：Access Network）１と、ホスト側交換機（ＬＥ：Local Exchange）２とがＶ５.２インタフェースで接続されると共に、それらの間の伝送路にエコーキャンセラ４が設けられている。上記の伝送路は、２.０４８Ｍｂｐｓのデータ伝送路（以下、２ＭＨＷともいう）であり、図２に示すフレームフォーマットのディジタル信号を伝送する。
【００１５】
図２に示すように、ディジタル信号のフレームフォーマットは、全部で３２個のタイムスロットＴＳ０〜ＴＳ３１からなる。先頭のタイムスロットＴＳ０は、フレーム同期用のタイムスロットであり、２番目から１５番目までのタイムスロットＴＳ１〜ＴＳ１４と、１８番目から３１番目のタイムスロットＴＳ１７〜ＴＳ３０とは音声／データ用タイムスロットであり、１６番目、１７番目及び最後のタイムスロットＴＳ１５、ＴＳ１６及びＴＳ３１はＶ５.２用タイムスロット（Ｃｃｈ用タイムスロット）であるが、音声／データ用タイムスロットとしても使用可能である。
【００１６】
従って、Ｖ５.２インタフェースで接続された上り下りの２ＭＨＷ上のＣｃｈ用タイムスロットＴＳ１５、ＴＳ１６及びＴＳ３１に対しては、エコーキャンセル動作させると、情報が正確に伝送できなくなるため、エコーキャンセル動作しないようにする必要がある。
【００１７】
そこで、図１に示すエコーキャンセラ４は、音声／データ用タイムスロットに対してエコーキャンセル動作を行うためのエコーキャンセル機能４１と、上記のＣｃｈ用タイムスロットＴＳ１５、ＴＳ１６及びＴＳ３１をドロップするタイムスロットドロップ機能４２、４４と、ドロップしたタイムスロットのデータにＣｃｈ固有のフラグパターン（０１１１１１１０）が含まれているかを判断するフラグパターン検出機能４３、４５と、フラグパターン検出機能４３、４５の両判断結果に基づいて、エコーキャンセル機能４１の動作をオン叉はオフに制御する制御機能４６とより構成されている。
【００１８】
次に、本実施の形態の動作について、図３のフローチャートを併せ参照して説明する。ＡＮ１からＬＥ２へ出力される上り方向のデータは、エコーキャンセラ４に入力され、タイムスロットドロップ機能４２によりタイムスロットＴＳ１５がドロップ（抽出）される（ステップ１０１）。続いて、ドロップしたタイムスロットＴＳ１５のデータにＣｃｈ固有のフラグパターン（０１１１１１１０）が含まれているか否かフラグパターン検出機能４３により検出され、含まれているときは”１”が出力され、含まれていなければ”０”が出力される（ステップ１０２）。
【００１９】
制御機能４６は上記のタイムスロットＴＳ１５のデータに上記のフラグパターン（０１１１１１１０）が含まれていることを示す検出出力”１”がフラグパターン検出機能４３から連続して５回入力されるかどうか判断する（ステップ１０３）。
【００２０】
ＬＥ２からＡＮ１へ出力される下り方向のデータについても、上記と同様に、タイムスロットドロップ機能４４によりタイムスロットＴＳ１５がドロップ（抽出）され（ステップ１０４）、ドロップしたタイムスロットＴＳ１５のデータにＣｃｈ固有のフラグパターン（０１１１１１１０）が含まれているか否かフラグパターン検出機能４５により検出される（ステップ１０５）。
【００２１】
制御機能４６は上記のタイムスロットＴＳ１５のデータに上記のフラグパターン（０１１１１１１０）が含まれていることを示す検出出力”１”がフラグパターン検出機能４５から連続して５回入力されるかどうか判断する（ステップ１０６）。
【００２２】
そして、制御機能４６はフラグパターン検出機能４４及び４５の各々から、上り下り同時に上記の所定のフラグパターン（０１１１１１１０）の検出出力”１”を連続して５回受信した時には、エコーキャンセル機能４１に対してエコーキャンセル動作の停止を指示する（ステップ１０７、１０８）。これにより、Ｃｃｈ用タイムスロットＴＳ１５に対するエコーキャンセル動作が停止される。
【００２３】
なお、一度上記の所定のフラグパターンが検出された後、５回連続で上記の所定のフラグパターンが検出されない場合は、５回上り下り同時に上記の所定のフラグパターンを検出するまでは、制御機能４６はエコーキャンセル機能４１によるエコーキャンセル機能の停止指示は行わない（エコーキャンセル動作を行わせる）。以上の動作はタイムスロットＴＳ１５についての説明であるが、他のＣｃｈ用タイムスロットＴＳ１６、ＴＳ３１も上記と同様の動作が行われる。
【００２４】
このように、本実施の形態によれば、Ｖ５.２インタフェース上のＣｃｈ用タイムスロットＴＳ１５、ＴＳ１６及びＴＳ３１をエコーキャンセラ４において監視し、上り下りの２ＭＨＷで同時に５回連続した所定のフラグパターンの検出が行われた時には、上記のタイムスロットＴＳ１５、ＴＳ１６及びＴＳ３１はＣｃｈ用タイムスロットであると判断して、タイムスロットＴＳ１５、ＴＳ１６及びＴＳ３１に対するエコーキャンセル動作を自動的に停止することができる。
【００２５】
なお、本発明は上記の実施の形態に限定されるものではなく、上り下りのＨＷで同時に所定のタイムスロット中の所定のフラグパターンが５回連続して検出されたときに、そのタイムスロットに対するエコーキャンセル動作を停止するようにしているが、連続して検出する回数は５回以外の複数回でもよい。
【００２６】
【発明の効果】
以上説明したように、本発明によれば、Ｖ５.２インタフェース上のＣｃｈ用タイムスロットをエコーキャンセラにおいて監視し、上り下りの２ＭＨＷで同時に所定回数連続した所定のフラグパターンの検出が行われた時には、上記のタイムスロットはＣｃｈ用タイムスロットであると判断して、そのタイムスロットに対するエコーキャンセル動作を自動的に停止するようにしたため、エコーキャンセル機能の無効をハードウェア等の初期設定時に設定しなくても、外部からの制御が無いエコーキャンセラにおいて自動的にＣｃｈ用タイムスロットに対するエコーキャンセルの停止設定ができ、設定の誤りによるリンク確立ができないという現象を防止することができる。
【図面の簡単な説明】
【図１】本発明システムの一実施の形態のブロック図である。
【図２】本発明システムで伝送するディジタル信号のフォーマットの説明図である。
【図３】本発明方法の一実施の形態のフローチャートである。
【図４】従来システムの一例のブロック図である。
【符号の説明】
１  リモート側交換機（ＡＮ）
２  ホスト側交換機（ＬＥ）
３、４  エコーキャンセラ
４１  エコーキャンセル機能
４２、４４  タイムスロットドロップ機能
４３、４５  フラグパターン検出機能
４６  制御機能
【図１】
0003664099.tif 000002
【図２】
0003664099.tif 000003
【図３】
0003664099.tif 000004
【図４】
0003664099.tif 000005